(57)【要約】【課題】所望の輝度及びクロミナンス特性を備えた光を確実に生じさせることが可能なＬＥＤベースのフィールド順次式カラー・ディスプレイを提供する。【解決手段】フィールド順次式カラー照明システム１００には、複数の色のＬＥＤ１１０と、この複数の色のＬＥＤを駆動して背面照明に用いられる光を生じさせ、複数の色のＬＥＤからの光を検出し、光検出に応答して色順次式駆動信号を調整するように構成されたスペクトル・フィードバック制御システム１０６が含まれている。放出される光をカラー・センサ１２０で検出し、その結果に応じてドライバ１２４から出力される色順次式駆動信号を調整することによって、ＬＥＤの性能の経時変化に応じて、フィールド順次式カラー照明システムから放出される光の輝度及びクロミナンス特性を所望のレベルに保つことが可能になる。【選択図】図１
2006133764.tif 000002
【特許請求の範囲】
【請求項１】
複数の色の発光ダイオード（ＬＥＤ）を含む光源と、
前記複数の色のＬＥＤを駆動して背面照明に用いられる光を生じさせ、前記複数の色のＬＥＤから放出される光を検出し、前記光の検出に応答して色順次式駆動信号を調整するように構成されたスペクトル・フィードバック制御システムと
を具備することを特徴とするフィールド順次式カラー（ＦＳＣ）照明システム。
【請求項２】
前記スペクトル・フィードバック制御システムが、色毎に前記複数の色のＬＥＤを制御するように構成されることを特徴とする請求項１に記載のＦＳＣ照明システム。
【請求項３】
前記複数の色のＬＥＤに赤色、緑色、及び、青色ＬＥＤが含まれることを特徴とする請求項２に記載のＦＳＣ照明システム。
【請求項４】
前記スペクトル・フィードバック制御システムに、さらに、各色毎に前記複数の色のＬＥＤを制御するのに用いられる、色特定フィードバック信号を送り出すように構成されたカラー・センサが含まれることを特徴とする請求項２に記載のＦＳＣ照明システム。
【請求項５】
前記スペクトル・フィードバック制御システムに、同じ色の複数ＬＥＤを同時に駆動するように構成されたドライバが含まれることを特徴とする、請求項４に記載のＦＳＣ照明システム。
【請求項６】
前記スペクトル・フィードバック制御システムに、色毎に前記複数の色のＬＥＤを制御して、前記光源から出射される光が事前設定された輝度及びクロミナンス特性を保つように構成されたコントローラが含まれることを特徴とする請求項４に記載のＦＳＣ照明システム。
【請求項７】
フィールド順次式カラー（ＦＳＣ）照明システムを動作させるための方法であって、
複数の色の発光ダイオード（ＬＥＤ）を含む光源に駆動信号を加えることと、
前記駆動信号に応答して放出される光を検出することと、
前記検出した光に応答して、フィードバック信号を発生することと、
前記フィードバック信号に応答して、前記光源に加えられる色順次式駆動信号を調整することと
を有することを特徴とする方法。
【請求項８】
前記駆動信号を加えることが、
較正プロセス中、各色のＬＥＤに同時に駆動信号を加えることを含むことを特徴とする請求項７に記載の方法。
【請求項９】
前記光を検出することが、
各色に固有のフィードバック信号を発生することを含むことを特徴とする請求項７に記載の方法。
【請求項１０】
前記色順次式駆動信号を調整することが、前記各色に固有のフィードバック信号に応答して、色毎に前記駆動信号を調整することを含み、
前記複数の色のＬＥＤの駆動信号が、前記検出した光の事前設定輝度及びクロミナンス特性を保つように調整される
ことを特徴とする請求項９に記載の方法。
【発明の詳細な説明】
【技術分野】
【０００１】
本発明は、カラー液晶ディスプレイ（ＬＣＤ）等の用途に適した照明システムに関する。
【背景技術】
【０００２】
一般的なカラー液晶ディスプレイ（ＬＣＤ）は、蛍光源または白色発光ダイオード（ＬＥＤ）からの白色光を利用して、バックライトを生じさせる。バックライトは、カラー画像を作成するため、液晶セル、カラー・フィルタ、及び、偏光フィルタによって処理される。
【０００３】
新しいタイプのカラー・ディスプレイには、光源として複数カラーＬＥＤの利用が必要とされる。カラーＬＥＤ（例えば、赤色、緑色、及び、青色ＬＥＤ）は、所望の色の光が得られるように、色順次式に駆動される。例えば、赤色、緑色、及び、青色光が、人間の目で識別できるより速く、順次発生するので、順次発生する色が混合して、所望の色が得られる。色順次式に駆動されるカラー・ディスプレイは、フィールド順次式カラー・ディスプレイと呼ばれる。従来のカラーＬＣＤに対するＬＥＤをベースにしたフィールド順次式カラー・ディスプレイの利点は、かなりの量のバックライトを吸収することになりがちな、カラー・フィルタ及び偏光フィルタを必要としないという点にある。光の吸収が減少するので、フィールド順次式ディスプレイは、より少ない電力消費で、より強い光を生じさせることが可能になる。一方、ＬＥＤをベースにしたフィールド順次式カラー・ディスプレイの欠点は、カラーＬＥＤの輝度及びクロミナンス特性（色の特性）が、温度、経年、駆動電流、及び、製造のばらつきといった要因によって変動しがちであるという点である。
【発明の開示】
【発明が解決しようとする課題】
【０００４】
従って、本発明の目的は、所望の輝度及びクロミナンス特性を備えた光を確実に生じさせることが可能なＬＥＤベースのフィールド順次式カラー・ディスプレイを提供することにある。
【課題を解決するための手段】
【０００５】
フィールド順次式カラー照明システムには、複数の色のＬＥＤと、この複数の色のＬＥＤを駆動して背面照明に用いられる光を生じさせ、複数の色のＬＥＤからの光を検出し、光検出に応答して色順次式駆動信号を調整するように構成されたスペクトル・フィードバック制御システムが含まれている。放出される光を検出し、光検出に応答して色順次式駆動信号を調整することによって、ＬＥＤの性能の経時変化に応じて、フィールド順次式カラー照明システムから放出される光の輝度及びクロミナンス特性を所望のレベルに保つことが可能になる。
【０００６】
照明システムの実施態様の１つでは、スペクトル・フィードバック制御システムには、色特定フィードバック信号を生じるように構成されたカラー・センサ、色特定フィードバック信号に応答して色特定制御信号を発生するように構成されたコントローラ、色特定制御信号に応答して色特定駆動信号を発生するように構成されたドライバが含まれている。
【０００７】
本発明によるフィールド順次式カラー照明システムの動作方法には、複数の色のＬＥＤを含む光源に駆動信号を加え、駆動信号に応答して発生する光を検出し、検出光に応答してフィードバック信号を発生し、フィードバック信号に応答して、光源に加えられる色順次式駆動信号を調整することが必要とされる。実施態様の１つでは、検出光に応答して、色特定フィードバック信号を発生する。色特定フィードバック信号を利用して、カラー毎に複数の色のＬＥＤに対する色順次式駆動信号を調整し、放出光の所望の輝度及びクロミナンス特性が保たれるようにする。
【０００８】
本発明の他の態様及び利点については、本発明の原理の例証として示され、添付の図面に関連してなされる下記の詳細な説明から明らかになるであろう。
【０００９】
説明全体にわたって、同様の参照番号を用いて、同様の要素の識別が可能である。
【発明を実施するための最良の形態】
【００１０】
図１には、例えば、液晶ディスプレイ（ＬＣＤ）・パネル１１４用のバックライトとして用いることが可能なフィールド順次式カラー（ＦＳＣ）照明システム１００が描かれている。ＦＳＣ照明システムには、光源１０２、光混合媒体１０４、及び、スペクトル・フィードバック制御システム１０６が含まれている。
【００１１】
光源１０２は、加えられた駆動信号に応答して、光を発生するように構成されている。光混合媒体１０４に対する光源の配向は、光源から放出された光が光混合媒体を通過するように施されている。図１に描かれた光源は、特定の色の単色光を放出する複数の発光ダイオード（ＬＥＤ）１１０（本明細書では「カラーＬＥＤ」と呼ばれる）から構成されている。図１の実施態様では、カラーＬＥＤには、それぞれの赤色、緑色、及び、青色のスペクトルの単色光を放出する赤色（Ｒ）、緑色（Ｇ）、及び、青色（Ｂ）の混合ＬＥＤが含まれている。カラーＬＥＤは、ＬＥＤの分野において周知のところである。図１の実施態様例におけるカラーＬＥＤは、赤色、緑色、及び、青色であるが、他のカラーＬＥＤの組み合わせを利用することも可能である。例えば、赤色、緑色、及び、青色ＬＥＤの代わりに／に加えて、シアン及び琥珀色（アンバー）ＬＥＤを含む混色を用いることも可能である。各画素が赤色、緑色、及び青色ＬＥＤを有して、ＬＥＤは複数の画素のマトリクスに分類することが可能である。あるいはまた、ＬＥＤは、ＬＣＤパネルのエッジ照明に用いるような、光ストリップをなすように構成することが可能である。図１の場合、カラーＬＥＤは、赤色、緑色、及び、青色（ＲＧＢ）の反復パターンをなすように分布している。図１には、特定パターンをなすＬＥＤ分布が描かれているが、他のパターン及び／または分布のＬＥＤを利用することも可能である。ＬＥＤのパターン及び／または分布の詳細は、本出願に固有のものである。
【００１２】
光混合媒体１０４は、カラーＬＥＤ１１０から放出される着色光（各色の光）を混合する。光混合媒体１０４は、ＬＥＤから放出されるさまざまなカラーを均一に分布させるのに役立つ。
【００１３】
スペクトル・フィードバック制御システム１０６には、カラー・センサ１２０、コントローラ１２２、及び、ドライバ１２４が含まれている。カラー・センサは、ＬＣＤパネル１１４、光混合媒体１０４、及び、光源１０２に対して、光源から放射され、光混合媒体及びＬＣＤパネルを通過する光を検出するように位置決めされている。図１の実施態様の場合、カラー・センサは、検出した光の、各色固有の輝度及びクロミナンス特性を表わす色特定フィードバック信号を発生する三色センサである。例えば、カラー・センサは、検出光に関連した三刺激値情報を表わすために利用可能な１組の電気信号を発生する。
【００１４】
コントローラ１２２は、光源１０２から発生する光の輝度及びクロミナンス特性を制御する。コントローラは、色特定（各色ごとに固有の）制御信号を用いて、所望の輝度及びクロミナンス特性を備えた光を発生する。照明システムをフィードバック制御モードで動作させる場合、コントローラは、カラー・センサ１２０から色特定フィードバック信号を受信し、色特定フィードバック信号に応答して、色特定制御信号を発生する。
【００１５】
ドライバ１２４は、コントローラから受信する色特定制御信号を変換して、色順次式に光源１０２を駆動する色特定駆動信号にする。例えば、ドライバは、カラー毎にカラーＬＥＤ１１０を制御する色特定駆動信号（例えば、赤色ＬＥＤ駆動信号、緑色ＬＥＤ駆動信号、及び、青色ＬＥＤ駆動信号）を発生する。ドライバには、色順次式にＬＥＤを駆動するように構成された色順次式論理回路１２６が含まれている。色順次式にＬＥＤを駆動するには、一度に一色ずつ、同じカラーのＬＥＤを同時に駆動することが必要になる。例えば、最初に、赤色ＬＥＤが駆動され、次に、緑色ＬＥＤが駆動され、最後に、青色ＬＥＤが駆動される。既知のＦＳＣ技法を利用して、異なるカラーＬＥＤが、人間の目で識別できるよりも速い測度で駆動されるので、人間の目には、それらのカラーは混合されたように見える。例えば、異なるカラーＬＥＤの各グループは、６０Ｈｚのフレームの間に、個別に駆動される。実施態様の１つでは、３つの異なるカラーＬＥＤグループ（赤色、緑色、及び、青色）のそれぞれが、順次、１／６０秒（すなわち、６０Ｈｚ）の各フレームの間の、１／１８０秒のサブフレームの間に順次起動される。色順次式に異なるカラーＬＥＤの各グループを個別に駆動することによって、所望の輝度及びクロミナンスを備えた光を生じさせることが可能になる。
【００１６】
図２には、図１からのドライバ１２４の拡大（詳細）図が描かれている。図２に描かれたドライバには、色順次式論理回路１２６と、それぞれ、赤色、緑色、及び、青色ＬＥＤ用の色特定ドライバ１２４−１、１２４−２、及び、１２４−３が含まれている。色特定ドライバは、色特定駆動信号（例えば、赤色ＬＥＤ駆動信号、緑色ＬＥＤ駆動信号、及び、青色ＬＥＤ駆動信号）を発生し、これによって、ドライバは色順次式に色毎にカラーＬＥＤ１１０を制御することが可能になる。時間変調（パルス幅変調とも呼ばれる）を利用して、ＬＥＤから放出される光の強度を制御することも可能である。あるいはまた、カラー光の強度は、駆動信号の電圧及び／または電流を変化させることによって制御可能である。
【００１７】
較正プロセス中、図１のスペクトル・フィードバック制御システム１０６は、光源１０２から放出される光の輝度及びクロミナンス特性を測定し、次に、測定結果に応答して、事前に設定された輝度及びクロミナンスが達成されるように放出光に調整を加える。較正プロセスの動作については、図１に関連して詳述する。説明のため、コントローラ１２２から開始すると、コントローラは、色特定制御信号を発生して、所望の輝度及びクロミナンス特性が得られるようにする。色特定制御信号は、ドライバ１２４に加えられる。ドライバは、コントローラからの制御信号に応答し、色特定駆動信号を発生して、光源のＬＥＤ１１０を駆動する。例えば、ＬＣＤパネル背面照明に適した白色光は、赤色、緑色、及び、青色光を組み合わせることによって得られる。較正プロセスにおいて、カラーＬＥＤを同時に駆動して、背面照明（バックライト）用の光を生じさせる。較正プロセスのもう１つの実施態様では、カラーＬＥＤを色順次式に駆動して、背面照明のための光を生じさせる。較正プロセス中、ＬＥＤが、同時に駆動されるか、または、色順次式に駆動されるかにかかわらず、ドライバは、赤色、緑色、及び、青色ＬＥＤに特定された色特定駆動信号を発生する。光源のＬＥＤは、駆動信号に応答して光を発生し、光は、光混合媒体１０４及びＬＣＤパネル１１４を通過する。カラー・センサ１２０は、光混合媒体及びＬＣＤパネルを通過する光を検出し、その検出に応答してフィードバック信号を発生する。図１の実施態様の場合、カラー・センサは、赤色、緑色、及び、青色スペクトルに関連した色特定フィードバック信号を出力する。カラー・センサからの色特定フィードバック信号は、コントローラによって受信され、所望の輝度及びクロミナンス特性を備える光が得られるようにするため、制御信号、さらに最終的には色順次式駆動信号が調整される。通常の色順次式動作中に、所望の輝度及びクロミナンス特性を備える光を得てこれを維持するため、コントローラは、色特定フィードバック信号に応答して色特定制御信号を発生する。実施態様の１つでは、カラー・センサからの色特定フィードバック信号と基準カラー情報を比較することによって、色特定制御信号を発生する。例えば、色特定制御信号は、カラー・センサからの色特定フィードバック信号と基準カラー情報との差の関数として発生させられる。色特定制御信号を発生するための技法例については、さらに詳細に後述する。
【００１８】
コントローラ１２２によって発生する色特定制御信号が、ドライバ１２４に加えられる。ドライバは、色特定制御信号を色特定駆動信号に変換する。次に、色特定駆動信号は、色順次式に光源１０２のカラーＬＥＤ１１０に加えられ、ＬＣＤパネルの背面照明に用いられる光を生じさせる。較正プロセスは、放出光が所望の輝度及びクロミナンス特性を示すまで反復することが可能である。放出光の実際の輝度及びクロミナンス特性を測定し、実際の測定結果に応答してＬＥＤ駆動信号に調整を加えることによって、個別カラーＬＥＤによって放出される光の変化時に、所望の輝度及びクロミナンス特性を保つことが可能になる。
【００１９】
実施態様の１つでは、較正プロセスを選択的に利用して、出射光の輝度及びクロミナンス特性が調整される。例えば、較正プロセスは、事前設定された時間間隔の離散的時間期間（例えば、１時間、１日、１週間、１ヶ月に１回等）に実施することもできるし、あるいは、固定事象時に（例えば、システム起動時）に実施することも可能である。実施態様の１つでは、較正プロセスは、照明システムの起動中に実施される。もう１つの実施態様では、フィードバック制御プロセスは、電源（例えば、モバイル機器のバッテリ）の充電中に実施される。フィードバック制御プロセスを実施する頻度、及び、所望の輝度及びクロミナンス特性を得るのに必要な時間長は、光のドリフトの大きさ、所望の制御レベル、資源（リソース）消費に対する配慮等のようなさまざまな要素の関数である。
【００２０】
較正プロセスを選択的に利用して、放出光の輝度及びクロミナンス特性を調整する実施態様の場合、フィードバック制御プロセスが、通常動作中に実施されることはない。通常動作中にはフィードバック制御プロセスを実施しないことによって、フィードバック制御によって消費される資源（例えば、バッテリの電力及び処理サイクル）を節約することが可能になる。あるいはまた、通常動作中に（例えば、カラーＬＥＤが色順次式に駆動されている間に）較正プロセスを連続して実施し、放出光の輝度及びクロミナンス特性に対する高レベルの制御を行うことも可能である。ＲＧＢ  ＬＥＤを同時に作動させる較正プロセスの実施態様では、較正プロセスに悪影響を及ぼす可能性のある望ましくない画像の表示を回避するため、ＬＣＤパネルを空白化している間（ブランク中）に較正プロセスを実行するのが望ましい。
【００２１】
例証のため、図１に描かれたシステム１００は、三色のＲＧＢをベースにしたシステムである。三色表示系の着色光は、通常は、個別に３つの色を知覚することができないように施される三色での等色化に基づき、三刺激値で表現することが可能である。三刺激値は、ある特定の三色表示系において、所望の色相に合わせるのに必要な３つの等色光の強度（等色するための、３つの光の強度）を表わしている。三刺激値は、下記の方程式を用いて計算することが可能である。
【００２２】
【数１】
2006133764.tif 000003
【００２３】
ここで、
【００２４】
【数２】
2006133764.tif 000004
【００２５】
相対スペクトル・パワー分布Ｐλは、スペクトル全体にわたる、一定間隔（範囲）の波長当りの、固定基準値に対するスペクトル・パワーである。ＣＩＥ等色関数ｘλ、ｙλ、及び、ｚλは、ＣＩＥ１９３１標準表色系における関数ｘ（λ）、ｙ（λ）、及び、ｚ（λ）、または、ＣＩＥ１９６４補助標準表色系における関数ｘ10（λ）、ｙ10（λ）、及び、ｚ10（λ）である。ＣＩＥ１９３１測色標準観測者は、その等色特性が１°〜４°の視野においてＣＩＥ等色関数に対応する理想的な観測者であり、ＣＩＥ１９６４測色標準観測者は、その等色特性が４°を超える視野サイズについてＣＩＥ等色関数に対応する理想的な観測者である。反射率Ｒλは、その頂点が参酌対象表面上に位置する、ある特定の円錐内で反射される放射束と、照明された完全拡散反射体にから同じ方向に反射される放射束との比である。放射束は、放射物の形態で放出され、伝達され、または、受光されるパワーである。放射束の単位はワット（Ｗ）である。完全拡散反射体は、反射率（または透過率）が１に等しい理想的な均等拡散体である。重み関数Ｗｘλ、Ｗｙλ、及び、Ｗｚλはそれぞれ、相対スペクトル・パワー分布Ｐλと、特定の組をなすＣＩＥ等色関数ｘλ、ｙλ、ｚλとの積である。
【００２６】
図１に描くコントローラ１２２は、色特定制御（色に関する制御）を実現するため、多種多様なやり方で実施することが可能である。図３Ａ及び図３Ｂには、図１に描かれた光源において、赤色、緑色、及び、青色ＬＥＤを色毎に調整するために利用可能なコントローラ１２２の例が描かれている。図３Ａを参照すると、コントローラには、基準値発生器１３０及び制御モジュール１３２が含まれている。コントローラは、カラー・センサ１２０（図１）からＲＧＢ空間における実測三刺激値（Ｒ、Ｇ、及び、Ｂ）の形で色特定フィードバック信号を受信する。コントローラは、入力基準三刺激値も受信する。入力基準三刺激値は、ターゲット・カラー・ポイント（Ｘ  ｒｅｆ及びＹ  ｒｅｆ）及び輝度値（Ｌ  ｒｅｆ）の形をとることが可能である。基準三刺激値は、ユーザ・インターフェイス（不図示）によって事前に設定し、システムに事前にプログラムしておくこともできるし、あるいは、他の何らかの方法で入力基準三刺激値を受信することも可能である。基準値発生器は、入力基準三刺激値をＲＧＢ空間における基準三刺激値（Ｒ  ｒｅｆ、Ｇ  ｒｅｆ、及び、Ｂ  ｒｅｆ）に変換する。制御モジュールは、次に、実測三刺激値と基準三刺激値との差を求めて、所望の輝度及びクロミナンス特性を得るため、色毎に駆動信号に施す必要のある調整を反映した色特定制御信号を発生する。所望の輝度及びクロミナンスの光が放出されるように、必要に応じて、色特定制御信号によってカラーＬＥＤに調整が加えられる。こうして、光源の輝度及びクロミナンス特性は、所望の（すなわち、基準）輝度及びクロミナンス特性に近づく。
【００２７】
図３Ｂの代替コントローラは、ＣＩＥ１９３１三刺激値を利用する点を除けば、図３Ａのコントローラと同様である。図３Ｂのコントローラには、ＲＧＢ空間における実測三刺激値を実測ＣＩＥ１９３１三刺激値に変換するフィードバック信号変換器１３４が含まれている。さらに、基準値発生器１３０は、入力基準三刺激値を基準ＣＩＥ１９３１三刺激値に変換する。制御モジュール１３２は、次に、実測ＣＩＥ１９３１三刺激値と基準ＣＩＥ１９３１三刺激値との差を求め、それに応じて、色特定制御信号を調整する。
【００２８】
図１〜図３Ｂに関連して上述のＦＳＣ照明システム１００に施す配向によって、カラー・センサが、光の混合後ではあるが、ＬＣＤパネル１１４の通過前に、光を検出するように構成することも可能である。図４には、ＬＣＤの分野において既知のように、ＬＣＤパネルの側面またはエッジに光が入射するようにＬＣＤパネル１１４に対する配向が施された光源１０２を含む、ＬＥＤベースのＦＳＣ照明システム２００が描かれている。例えば、カラーＬＥＤ１１０は、線状に構成され、ＬＣＤパネルのエッジに沿って配置されている。ＬＣＤパネル用バックライトとして用いられる場合、光源は、一般に、白色光を生じるように駆動される。当該分野において既知のように、白色光は、赤色、緑色、及び、青色光を組み合わせることによって生じさせることが可能である。図４の実施態様の場合、通常動作中に、赤色、緑色、及び、青色ＬＥＤを色順次式に駆動して、白色光を生じさせる。白色光の所望の輝度及びクロミナンス特性は事前設定されており、上述のように、較正プロセス中に必要に応じてスペクトル・フィードバック制御システムを用いて駆動信号を調整することにより、放出光の所望の輝度及びクロミナンス特性が実現され、保たれることになる。
【００２９】
カラーＬＥＤが色順次式に駆動される較正プロセスの実施態様の場合、カラー・センサは、個別色特定測定値の和を求めて、完全な色測定値が得られるように構成を施すことが可能である。例えば、カラー・センサは、赤色ＬＥＤが駆動されている間に赤色光を測定し、緑色ＬＥＤが駆動されている間に緑色光を測定し、青色ＬＥＤが駆動されている間に青色光を測定することになる。次に、色特定測定値の和を求めて（例えば、グラスマンの法則に従って）、光全体の輝度及びクロミナンス特性が解明される。
【００３０】
ドライバ内に配置される色順次式論理回路が開示されているが、色順次式論理回路は、コントローラ内、ドライバ内、または、その任意の組み合わせに配置することが可能である。
【００３１】
図５には、本発明によるＦＳＣ照明システムを動作させる方法のプロセス流れ図が描かれている。ブロック５６０において、複数カラーＬＥＤを含む光源に駆動信号が加えられる。ブロック５６２では、駆動信号に応答して放出される光が検出される。ブロック５６４では、検出光に応答して、フィードバック信号が発生する。ブロック５６６では、光源に加えられる色順次式駆動信号が、フィードバック信号に応答して調整される。
【００３２】
照明システム１００及び２００は、ＬＣＤパネル用のバックライトとして解説されているが、ＬＥＤベースのＦＳＣ照明システムは、他の任意の証明用途に利用することも可能であり、決して上述の用途に制限されることはない。
【００３３】
フィードバック信号を送り出し、フィードバック信号に応答して色毎にカラーＬＥＤを調整する、スペクトル・フィードバック制御システム１０６の他の実施態様の可能性もある。
【００３４】
本発明の特定の実施態様について解説し、例示したが、本発明は、こうして解説され、例示された部分の特定の形態または構成に制限されるものではない。本発明の範囲は、付属の請求項及びその同等物によって定義されるものとする。
【図面の簡単な説明】
【００３５】
【図１】本発明によるスペクトル・フィードバック制御システムを含むフィールド順次式カラー照明システムを示す図である。
【図２】赤色、緑色、及び、青色ＬＥＤに特定された色順次式論理回路及びドライバを示す、図１のドライバを拡大して示す図である。
【図３Ａ】図１のコントローラを拡大して示す図である。
【図３Ｂ】ＣＩＥ１９３１三刺激値を利用する図１に示すコントローラのもう１つの実施態様に係る拡大図である。
【図４】本発明によるＬＣＤパネルの背面照明に用いられるスペクトラル・フィードバック制御システムを含む照明システムを示す図である。
【図５】本発明による照明システムを動作させるための方法のプロセスを示す流れ図である。
【符号の説明】
【００３６】
１０２  光源
１０６  スペクトル・フィードバック制御システム
１１０  カラー発光ダイオード
１２０  カラー・センサ
１２２  コントローラ
１２４  ドライバ
【図１】
2006133764.tif 000005
【図２】
2006133764.tif 000006
【図３Ａ】
2006133764.tif 000007
【図３Ｂ】
2006133764.tif 000008
【図４】
2006133764.tif 000009
【図５】
2006133764.tif 000010